(57)【特許請求の範囲】
【請求項１】
底部を有するテラリュウム本体と、前記底部に嵌合可能な栽培用土などを入れるための可撓性を有する合成樹脂製の受け皿とを備えてなり、このテラリュウム本体の一部にこの受け皿を撓めて挿入するための挿入口を設けているテラリュウム。 
【請求項２】
前記受け皿が水密である請求項１記載のテラリュウム。 
【請求項３】
前記テラリュウム本体が前記受け皿を水平状態で出し入れすることができる開閉扉を有している請求項１記載のテラリュウム。
【請求項４】
前記テラリュウム本体が多面体であって、この多面体を形成する各面が一枚のガラスとこれを囲む金属フレームとからなり、前記金属フレームが連続的につながっている請求項１、２または３記載のテラリュウム。
【請求項５】
前記テラリュウム本体が多面体であって、その少なくとも一つの面の内側に鏡を有している請求項１記載のテラリュウム。
【請求項６】
前記テラリュウム本体の水平方向の断面が正多角形の真半分の形状で形成されており、前記鏡がその背面に設けられている請求項５記載のテラリュウム。
【請求項７】
前記受け皿が水密である請求項５記載のテラリュウム。
【請求項８】
前記テラリュウム本体の少なくとも一つの面に前記受け皿を水平状態で出し入れできる開閉自在の扉を有している請求項５記載のテラリュウム。
【発明の詳細な説明】
【０００１】
【発明の属する技術分野】
本発明は、ガラス越しに観葉植物などを見て楽しむテラリュウムに関する。
【０００２】
【従来の技術】
従来のテラリュウムは栽培用土などをテラリュウムに直接いれていたため、肥料液や灌水で変質した栽培用土がガラス内壁にこびりついたりして汚れ易かった。また、ガラス壁も曇り易かった。
テラリュウムはガラス越しに観葉植物を見て楽しむためのオブジェ的要素を有しているので、格別、衛生面と美観面における管理が非常に重要である。したがってテラリュウムを清掃するには栽培用土をテラリュウムから除去しなければならなかった。
しかし従来のテラリュウムは、観葉植物と栽培用土とを一体にして取り出すことができず、別々に取り出していた。そのため観葉植物は清掃のときに犠牲にせざるを得なかった。また、テラリュウムの内壁にこびりついて固形化あるいは変質した栽培用土を除去して清掃する際、テラリュウムが損傷してテラリュウムが再使用できなくなるといった問題があった。
【０００３】
【発明が解決しようとする課題】
本発明は、テラリュウムの汚れを最小限にとどめ、また清掃を簡単に確実に行うことができ、美観面および衛生面における管理を簡易化したテラリュウムを提供すること、および清掃時に観葉植物が犠牲にならないテラリュウムを提供することを技術課題とするものである。さらに本発明は目に見える観葉植物を実際よりも多く見せることができ、それによりスペースの節約と美観の向上をもたらすテラリュウムを提供することを技術課題とするものである。
【０００４】
【課題を解決するための手段】
本発明のテラリュウム（請求項１）は、底部を有するテラリュウム本体と、前記底部に嵌合可能な栽培用土などを入れるための可撓性を有する合成樹脂製の受け皿とを備えてなり、このテラリュウム本体の一部にこの受け皿を撓めて挿入するための挿入口を設けていることを特徴としている。
【０００５】
このような前記受け皿は、水密になっているのが特に好ましい（請求項２）。さらに前記テラリュウム本体が前記受け皿を水平状態で出し入れすることができる開閉自在の開閉扉を有しているのが好ましい（請求項３）。さらにテラリュウム本体が多面体であって、この多面体を形成する各面が一枚のガラスとこれを囲む金属フレームとからなり、前記金属フレームが連続的につながっているのが好ましい（請求項４）。
【０００６】
前記テラリュウムでは、テラリュウム本体が多面体であって、この多面体を形成する少なくとも一つの面の内側に鏡を有しているものが好ましい（請求項５）。このようなテラリュウム本体の形状は水平方向の断面が正多角形の真半分の形状で形成されており、前記鏡がその背面に設けられているのが好ましい（請求項６）。さらに前記受け皿が水密になっているのが好ましい（請求項７）。さらに前記テラリュウム本体の少なくとも一つの面に前記受け皿を水平状態で出し入れできる開閉自在の扉を有しているのが好ましい（請求項８）。
【０００７】
【作用】
本発明のテラリュウム（請求項１）では、テラリュウム本体の底部には栽培用土を入れるための受け皿が嵌合しているので、栽培用土がテラリュウム本体の底部に直に接触することが防止されている。また肥料液や灌水も受け皿に受け止められるので、テラリュウム本体から洩れてしまうことが防止されている。したがって、テラリュウム本体は栽培用土、肥料液そして灌水などにより汚損されることが基本的に防止されており、清掃の必要性はほとんどない。仮にテラリュウム本体を清掃する場合、上記可撓性を有する合成樹脂製の受け皿を外部に取りせば、非常に簡単におこなうことができる。
さらに前記受け皿がテラリュウム本体の内側に嵌合しているので、受け皿はテラリュウムの内側に密着して両者は一体的となる。そのため、受け皿は目立たなくなる。したがって、テラリュウム本体に直接、栽培用土が収納されているように外見されるので、受け皿の存在に目障り感がなくなる。
【０００８】
また受け皿が可撓性の合成樹脂製であるので、前記テラリュウム本体の開口部が小さくても受け皿を折り曲げることにより出し入れができる。そのためテラリュウムの開口の大きさは受け皿の大きさに合わせる必要はない。したがって開口部は受け皿が出し入れできる程度の小さな穴にすることができるので、埃がテラリュウムに入りにくくなっている。そのためテラリュウムの中は一層汚れにくい。
【０００９】
さらに受け皿が水密である場合（請求項２）は、前記受け皿が一層確かなものになっているので、灌水などの水漏れは絶対にない。このことは、テラリュウムの使用方法として受け皿に水のみをいれて栽培したり、あるいは花器として利用することも可能である。 
【００１０】
さらに前記テラリュウム本体が前記受け皿を水平状態で出し入れすることができる開閉自在の開閉扉を有している場合（請求項３）は、栽培用土はテラリュウム本体の外で受け皿に入れ、また観葉植物も前記栽培用土に植えつけが可能になる。さらにその後、栽培用土、観葉植物および受け皿諸共、テラリュウム本体に入れることができる。したがって、観葉植物の植えこみ作業が簡単に行うことができると共にテラリュウム本体内に栽培用土がこぼれたり、観葉植物が転倒したりすることが防止可能になっている。また、テラリュウム本体を清掃するときも受け皿ごとテラリュウム本体から取り出すだけであり、これまでのような観葉植物を１本ずつ取り除いたり、また栽培用土を除去するなど個別的な作業は一切不要であるから、短時間で清掃することができる。
【００１１】
さらに前記テラリュウム本体が多面体であって、その多面体を形成する各面が一枚のガラスとこれを囲む金属フレームとからなり、前記金属フレームが連続的につながっている場合（請求項４）は、意匠上の美的効果がある。また前述のように栽培用土は受け皿に収納されているので、テラリュウムの底部に直接触れることはない。したがって、金属フレームは肥料液や灌水で錆びることが防止されている。特に受け皿が水密である場合は一層の効果がある。さらには受け皿がテラリュウムの内側に嵌合していることにより、テラリュウムと受け皿の間には栽培用土あるいは灌水などが入りにくくなるので、より一層の効果が望める。また受け皿が開閉扉より水平状態で出し入れできる場合は、より確実な効果が得られるようになった。
【００１２】
また、この種テラリュウムは金属フレームのシャープな面が多面体の面取り部を強調する作用をすると共に、意匠上の美的効果も奏成しているので、金属フレーム同士の連結部は可及的表面が汚損されないのが望ましい。つまり金属フレーム同士の連結部に隙間が形成されないよう全面的にハンダ付けなどをすると表面が汚れてしまうが、この発明では受け皿がテラリュウム本体に載置されるので、金属フレーム同士の連結が部分的な溶接あるいはハンダ付けでも可能であり、また表面を美麗に維持することができる。
【００１３】
前記テラリュウム本体が多面体を形成していて、この多面体の少なくとも一つの面側の内側に鏡を有している場合（請求項５）は、鏡以外の他の面はこの鏡に映し出されることになる。したがって、テラリュウム本体は奥行きが広がり、実際以上の大きさに外見され、また、テラリュウム内の植物も鏡に映し出されるので実際以上のボリュームに外見される。
【００１４】
このようなテラリュウムにおいては、テラリュウム本体の水平方向の断面が略正多角形の真半分の形状で形成されていて、その背面に前記鏡を設けている場合（請求項６）、さらに具体的にはテラリュウム本体の形状が略正多角柱を縦方向から真半分に切断し、切断したところに鏡を有する背面を形成している場合、実際は略正多角柱の半身であるにもかかわらず、鏡にその半身が映し出されることによって略正多角柱が外見できる。したがってテラリュウムを設置するスペースが少ない場合でも、背面に鏡面を有する上記半身型のテラリュウム本体であれば略正多角柱のテラリュウムをそのスペースに設置しているように外見できる。
【００１５】
さらに前記受け皿が前記テラリュウム本体の内側に嵌合しているので、受け皿は鏡面に密着する。それにより受け皿は実像と虚像の判別ができず、また実像と虚像が一体となったものが実物のように外見される。
【００１６】
さらに前記受け皿が水密である（請求項７）場合、受け皿に水を入れても一切漏れることはないので、水のみによる栽培方法を採用することが可能となる。この場合水面が微風によって揺れる様子は鏡に映り、この虚像の水面と実際の水面が一体となる。さらに前記テラリュウム本体の少なくとも一つの面に前記受け皿を水平状態で出し入れできる開閉自在の開閉扉を有している場合（請求項８）は、受皿をテラリュウムの底面に摺動させながら移動させることができるので、過って水をこぼし、鏡を損傷させることが防止可能になっている。
【００１７】
【発明の実施の形態】
つぎに図面を参照しながら本発明の実施の形態を説明する。図１は本発明のテラリュウムの第一の態様の実施形態を示す正面斜視図、図２は図１の連結部の位置を記した正面斜視図、図３は図１の開閉扉を閉じた状態の平面図、図４は図１のテラリュウム底部の連結状態を示す横断面図、図５は受け皿をテラリュウム本体へ収納する状態図、図６は本発明のテラリュウムの第二の態様の実施形態の正面斜視図、図７は図６の側面図、図８は使用状態を示す背面斜視図である。
【００１８】
図１に示すようにテラリュウム本体Ａはガラスだでけで形成されているものとは異なり、多面体であることを金属によってアクセントをつけている。またこのテラリュウム本体Ａは有底の多角体で、その天部に作業用の穴を形成してなっている。以下に詳述する。
テラリュウム本体Ａは図１および図３に示すように正八角形の底面１と、これを囲繞している略正八角柱に配列された側壁２と、それらの側壁２の各面の上端に内向きに連続する傾斜面からなるテーパ状の側壁３とによって多面体を形成している。さらに前記テーパ状の側壁３の内周は手が入る程度の適当な大きさの穴４になっており、作業用の穴として使用される。さらに側壁２を形成しているうちの一つの面は開閉扉５として形成されている。
【００１９】
底面１は図４に示すようにガラス板１ａとこれを囲んでいる金属フレーム１ｂとからなり、側壁２を形成している各面２ａは、矩形のガラス板６とこれを囲んでいる金属フレーム７とからなっている。また側壁３を形成している各面３ａは図１に示すように、台形のガラス板８とこれを囲んでいる金属フレーム９とからなっている。前記底面１および側壁２は各金属フレーム１ｂおよび同７の間をハンダ付けあるいは溶接によりスポット的に連結されているので、図４に示すようにそれ以外のところはわずかながら隙間Ｓが形成されている。
また、図２に示すように側壁２および側壁３を構成している各面も同じく各金属フレーム７および同９がハンダ付けあるいは溶接により部分的に連結されている（連結部１０）ので、各金属フレームの間には上記と同様の隙間が形成されている。
なお、実施形態では各面の頂角のところを連結している。
【００２０】
したがって、金属フレーム同士の連結部はその表面が凸凹に形成されているので、シャープな感覚は消失されているが、それ以外のところの金属フレーム、つまり頂角以外のところの金属フレームの表面は平滑な面のままであるから、金属フレームは全体的にはシャープなアクセント効果を奏成している。また、テラリュウム本体は金属フレームにより高級感のあるテラリュウムに仕上がっている。
【００２１】
テラリュウム本体Ａの底部の内側に嵌合している受け皿１１は図３及び図５に示すように栽培用土あるいは水を入れるのに適当な高さを有した舟型に形成されている。また可撓性で、合成樹脂製の肉薄の透明体で、水密になっているので、ハイドロカルチャー用の栽培用土を入れたり、また栽培用水を入れたりしても受け皿よりそれらがこぼれたりあるいは漏れたりすることは皆無である。
【００２２】
テラリュウム本体Ａに対する受け皿１１の出し入れは、図５に示すように受け皿１１を撓めて穴４に挿入してテラリュウム本体１の底部内側に嵌合させる。また同様にしてテラリュウム本体Ａ体より取り出す。明白なようにテラリュウム本体Ａ体の底面１の周囲はわずかながらでも隙間Ｓが形成されているが、受け皿１１を底部に嵌合させることにより、前記隙間Ｓから栽培用土および水などがこぼれることは確実に防止されている。しかも受け皿は透明であるから、その存在ははっきりと認識されることはないので、非常に体裁が良い。
【００２３】
本実施形態の使用方法は、上記説明からも明白なようにテラリュウム本体Ａへ受け皿１１を納めた後、穴４あるいは開状態の開閉扉５の開口部より栽培用土を受け皿１１に入れ、また観葉植物を同じく前記要領で植え込んで灌水した後、開閉扉５を閉じることによって鑑賞用テラリュウムを形成する。このテラリュウムは受け皿を設けることによりテラリュウムの清掃を基本的になくしているから、従来のように清掃のために観葉植物を犠牲にさせることはない。仮にテラリュウムを清掃する場合、栽培用土と観葉植物は受け皿で左右方向から一緒に包み込んで穴４より取り出すことができるので、栽培用土が若干、テラリュウムにこぼれても、簡単な清掃だけで原状回復することができる。
【００２４】
また、受け皿１１に水を入れて花を生育したりあるいは鑑賞したりして使用する場合は、受け皿をテラリュウムの底部に嵌合した後、水は開閉扉５より入れることができるので、水がテラリュウムにこぼれたりすることは防止される。また、水を捨てる場合、開閉扉５を開けて、その開口部より捨てることができるから、受け皿ごと穴４より取り出すような危険な捨て方はしなくても済む。
【００２５】
図示外の実施形態として、上記テラリュウム本体と同じ多面体の場合、底面を囲繞している側壁の真半分（ただし縦方向に真半分）を開閉扉にした場合、受け皿を水平状態でテラリュウムに対し出し入れすることができる。明白なようにこの開閉扉の開口部の間口はテラリュウムの最大幅に匹敵しているが、盛り土状態の栽培用土は開閉扉を全開しても受け皿の側壁によって崩落防止されている。したがってテラリュウムの外で観葉植物を植えつけたものを受け皿諸共、水平移動させてテラリュウムに収納することができるのは勿論こと、テラリュウム内に予めセットされた受け皿付き栽培用土に観葉植物を植えつけることが簡単にできる。またテラリュウム内での植えつけ作業はその空間を実際に認識しながら作業ができるので、植えつけ量が小さ過ぎたりあるいは多過ぎたりなどの失敗が防止できる。
【００２６】
なお、受け皿は前記合成樹脂製の透明体である他、着色されたものやその表面にデザインが施されたもの、さらにはその上端が平坦ではなく曲線で波をイメージしたものなどでもよい。さらに受け皿に栽培用水を入れる場合、花の支持具（特許公開番号平成８−３２２６１７）、合成樹脂製の吸盤付き剣山（意匠登録第１００５７０１号）または浮環状の花の支持具（特許第２８９２９７６号）を同時使用してもよい。
【００２７】
本発明のテラリュウムの第二の態様の実施形態であるテラリュウム本体Ｂは、外観は図６および図７に示すように図１のテラリュウム本体Ａを真半分にした形状であって、その各面の構成および連結構造は開閉扉の位置以外、図１に示すテラリュウム本体Ａと基本的には同じである（なお、連結部の図示は省略）。また受け皿２１についてもテラリュウム本体Ｂの底部の内側に嵌合するよう前記実施形態の受け皿１１の真半分にした舟型の形状になっている。
この実施形態の大きな特徴は背面が平坦で、その全面が鏡面２２になっている点である。さらにその背面の全面がテラリュウム本体Ｂの開閉扉２３になっていることである。開閉扉２３の周囲は金属フレーム７で囲まれている。明白なように受け皿２１は開閉扉２３を開けることにより図８に示すように水平状態で出し入れが自由にできる。
【００２８】
したがって、図６に示すように鏡面２２には、図６のＷと図７のＤの領域が映し出されるので、その映し出された虚像Ｆは実像と一体化して、恰も図１のテラリュウム本体Ａのように看取られることになる。つまり図１の半身でありながら全身を実感することができるのである。このような作用効果はこの実施形態のテラリュウム本体Ｂが置けることができる程度の少スペースの場所であっても、また観葉植物の植えつけ量が少量の場合であっても、実際の２倍に看取られるので、ボリュームのあるテラリュウム本体並びに観葉植物を外観することができ、まったく見劣ることはない。また少スペースおよび少観葉植物に対応できるので、鏡面の効果は甚大である。
なお、この鏡面２２による作用効果は受け皿２１を有しないテラリュウムでも同様に奏される。ただし受け皿２１を有するもののほうが清掃などの面で好ましい。また、テラリュウム本体の構造が単なるガラスだけによる多面体のもので、多面体を構成する背面の内側に鏡を有している場合、同様の作用効果を奏する。
【００２９】
使用方法については、前記第一の発明の実施形態において説明したものを踏襲するものであるが、テラリュウム本体Ｂは受け皿２１を外部に出した状態で栽培用土を入れることができ、また観葉植物も同じく植えこむことができるので、一層、効率な作業が実現できる。またテラリュウム本体Ｂへ観葉植物付き受け皿２１を納めるときも水平状態で納めることができるので、栽培用土がこぼれたり、観葉植物が転倒したりすることが防止されている。したがって、植え込み後の収納作業を安心して行うことができ、また受け皿２１を取り出す場合も同様に行うことができる。
【００３０】
なお、本発明の第一態様の実施形態における開閉扉５および側壁２ａの各金属フレーム同士７、７の間には蝶番３０およびカンヌキ３１を固着し、また本発明の第二態様の実施形態における開閉扉２３および側壁２ａの各金属フレーム７、７の間にも同じく上記部材を固着している。
また、上記いずれの実施形態においても多面体の面取り部は金属フレームによってアクセントを設けているテラリュウム本体になっているが、ガラスだけによる多面体のテラリュウムの場合も本発明の受け皿をその底部に設けることは栽培用土のこびり付きを防止に効果的である。
【図面の簡単な説明】
【図１】本発明のテラリュウムの第一の態様の実施形態を示す正面斜視図である。
【図２】図１の連結部を記した正面斜視図である。
【図３】図１の平面図である。
【図４】図１のテラリュウム底部の連結部を示す拡大横断面図である。
【図５】受け皿をテラリュウム本体へ収納する状態図である。
【図６】本発明のテラリュウムの第二の態様の実施形態を示す一部切り欠いた正面斜視図である。
【図７】図６の側面図である。
【図８】図６の使用状態を示す背面斜視図である。
【符号の説明】
１  底面
１ａ  ガラス板
１ｂ  金属フレーム
２  側壁
２ａ  側壁の各面
３  側壁
３ａ  側壁の各面
４  穴
５  開閉扉
６  ガラス板
７  金属フレーム
８  ガラス板
９  金属フレーム
１０  連結部
１１  受け皿
２１  受け皿
２２  鏡面
２３  開閉扉
Ａ  テラリュウム本体
Ｂ  テラリュウム本体
Ｆ  虚像
【図１】
0003602098.tif 000002
【図２】
0003602098.tif 000003
【図３】
0003602098.tif 000004
【図４】
0003602098.tif 000005
【図５】
0003602098.tif 000006
【図６】
0003602098.tif 000007
【図７】
0003602098.tif 000008
【図８】
0003602098.tif 000009